(57)【要約】  本発明は、ターボ機械の翼に関する。翼（１２’）は、ブレード（１３’）と、ターボ機械のディスクの軸線方向溝に係合されるべき根元（１８’）とを有する。ブレードの前縁の半径方向内側端部が、根元の上流端部よりもさらに下流に位置しているように、根元の上流端部（４５０’）は、下流端部に向かって不連続性を有する結合ゾーンの上流端部によってブレードの前縁（４３１’）の半径方向内側端部（４３０’）に結合される。
2017532484.tif 000002
【特許請求の範囲】
【請求項１】
上流側および下流側を有し、翼の伸びの半径方向（１０）に、
上流側に沿って前縁および下流側に沿って後縁を有するブレード（１３’、１３”）と、
ターボ機械のディスクの溝に係合されるべき根元（１８’、１８”）であって、翼よりもさらに内方に半径方向に位置しており、半径方向の伸び方向（１０）に対して横方向に上流端部および下流端部を有する、根元（１８’、１８”）と、
根元（１８’、１８”）とブレード（１３’、１３”）との間に半径方向に同様に位置している翼間内側プラットフォーム（１６）と、
を有する、ターボ機械の翼（１２’、１２”）であって、
ブレードの前縁の、または後縁（４３２’、４３２”）の前記半径方向内側端部（４３０’、４３０”）が、根元の上流端部、または下流端部よりもさらに下流に、またはさらに上流に位置するように、根元の上流端部（４５０’、４５０”）および下流端部（４５１’、４５１”）のうちの少なくとも１つが、根元（１８’、１８”）と翼間内側プラットフォーム（１６）との間で半径方向に中間の、かつ下流（４９’、４９”）に向かって、または上流（４９０’、４９０”）に向かって不連続性を有する結合ゾーン（４７’、４７”）の上流縁部、または下流縁部によってブレードの前縁（４３１’、４３１”）の、または後縁（４５７’、４５７”）の半径方向内側端部に結合されることを特徴とする、翼。
【請求項２】
前記結合ゾーン（４７’、４７”）の上流、または下流縁部が、凹状であり、かつ／または上流端部に向かって突出する、またはブレードから根元の方へ、下流端部に向かって凹部に配置される、形状を有する、請求項１に記載の翼。
【請求項３】
ブレードと根元との間の結合ゾーン（４７’、４７”）の上流縁部が、半径を有する形状を有する、請求項１または請求項２に記載の翼。
【請求項４】
ブレードの前縁（４３１’、４３１”）、または後縁（４５７’、４５７”）が、凹形状（４３３’、４３３”）によってその半径方向内側端部で結合される、請求項１から３の一項に記載の翼。
【請求項５】
外側に向かって半径方向に、およびブレードの前縁（４３１’、４３１”）の、それぞれ後縁（４５７’、４５７”）の凹形状（４３３’、４３３”）を越えて、凸形状を有する、請求項４に記載の翼。
【請求項６】
前縁の凸形状（４５３’、４５３”）が、後縁の凸形状（４５９’、４５９”）よりもより膨らんでいる、請求項５に記載の翼。
【請求項７】
翼の伸びの前記半径方向（１０）に、自由端（１９’）に向かってラッパ状に広がるスパン（１８０’、１８０”）と、
前記半径方向に、スパン（１８０’、１８０”）の起点と自由端（１９’）との間の距離（Ｒ）と、
伸びの前記半径方向（１０）に垂直な、根元（１８’、１８”）の上流端部（４５０’、４５０”）と、ブレードの前縁の前記半径方向内側端部（４３０’、４３０”）もしくはブレード（１３’、１３”）と根元（１８’、１８”）との間の前記結合ゾーンの不連続性（４９’、４９”）の下流端部のどちらかとの間の距離（Ｌ）と、
を有し、
Ｌが、２Ｒよりも小さいかまたはこれに等しい、
請求項１から６のいずれか一項に記載の翼。
【請求項８】
前記半径方向（１０）に対して横方向に、根元の上流端部、または下流端部が、全長にわたって前記結合ゾーン（４７’、４７”）の前記上流、または下流縁部（４９１’、４９１”）よりもさらに上流に、または下流に位置しているように、根元の上流端部、または下流端部（４５１’、４５１”）が、前記下流不連続性（４９’、４９”）、または上流不連続性（４９０’、４９０”）によって、根元（１８’、１８”）と翼間内側プラットフォーム（１６）との間の前記結合ゾーン（４７’、４７”）の半径方向内側部分の上流縁部、または下流縁部（４９１’、４９１”）に、半径方向外方に結合されることを特徴とする、請求項１から７のいずれか一項に記載の翼。
【請求項９】
各翼（１２’）が、上流側および下流側を有し、翼の伸びの半径方向（１０）に、
上流側に沿って前縁および下流側に沿って後縁を有するブレード（１３”）、ならびに
ターボ機械のディスクの溝に係合されるべき根元（１８”）であって、ブレードよりもさらに内方に半径方向に位置しており、上流端部を有する、根元（１８”）
を有する、ターボ機械の翼と、
それぞれ２つの連続する翼の間に挿入され、これらの翼の根元（１８”）とブレード（１３”）との間の中間レベルに半径方向に面する、翼間内側プラットフォーム（１６”ａ）と、
を備える、アセンブリであって、
各翼において、根元の上流端部（４５０”）および下流端部（４５１”）のうちの少なくとも１つが、根元（１８”）と翼間内側プラットフォーム（１６”ａ）との間に半径方向に中間の、かつ下流端部（４９”）に向かってまたは上流端部（４９０”）に向かって不連続性を有する結合ゾーン（４７”）の上流縁部または下流縁部によってブレードの前縁（４３１”）または後縁（４５７”）の半径方向内側端部に結合され、したがって、ブレードの前縁のまたは後縁の前記半径方向内側端部が、根元の上流、または下流端部よりもさらに下流に、または上流に位置していることを特徴とする、アセンブリ。
【請求項１０】
ロータが、回転軸を有し、外側周縁において翼根元（１８’、１８”）が配置される実質的に軸線方向の溝（２０、５８）を有するディスク（１４、５６）を備え、翼の各々が請求項１から８のいずれかに記載の、または請求項９のアセンブリに記載のターボ機械のファンロータ。
【請求項１１】
各内側プラットフォーム（１６’、１６”ａ）が、上流端部を有し、対応するブレードのどちら側にも側方に延在し、したがって、プラットフォームが、ターボ機械において循環されるべきガスの流れ（２１、１４４）に対して半径方向内側限界を一緒に画定し、各翼の根元の上流端部（４５０’、４５０”）が、各内側プラットフォームの上流端部（１６０’）よりもさらに上流に位置している、請求項１０に記載のロータ。
【請求項１２】
前記翼のうちの１つの根元が、内側に向かって半径方向に、これを受け入れる溝（２０、５８）の軸線に平行な軸線方向端縁（１９’、１９”）を有し、
上流側において、根元の上流端部（４５０’、４５０”）が、根元の前記軸線方向端縁が延在する軸線に垂直な上流端面を画定する、
請求項１０または請求項１１に記載のロータ。
【請求項１３】
請求項１から８のいずれか一項に記載の複数の翼、または請求項８のアセンブリ、または請求項１０から１２のいずれか一項に記載のファンロータ（１００、１００’）を備えることを特徴とする、飛行機ターボジェットエンジンまたはターボプロップエンジンエンジンなどのターボ機械。
【発明の詳細な説明】
【技術分野】
【０００１】
本発明は、特に飛行機ターボジェットエンジンまたはターボプロップエンジンエンジンなどの、ターボ機械の翼、ならびにそれに伴って提供されるファンロータおよびターボ機械に関する。
【背景技術】
【０００２】
通常、ターボ機械のロータは、その外側周縁に、空力翼を形成する部分とディスクの外側周縁において溝に係合される根元とを有するブレードを担持するディスクを備える。これらの溝は、実質的に軸線方向（すなわち、ロータの回転軸に対して実質的に平行）にあり、ディスクの歯と交互に円周方向に配置される。ブレードは、ディスクの溝に従って歯とのそれらの根元の形状の協働によってディスクに半径方向に保持され、ブレードの根元は、たとえば、ダブテール形から成る。
【０００３】
いったん翼がディスクの対応する溝において所定の位置にあると、翼をこの溝に半径方向に固定するように、各翼の根元と溝の底部との間に楔を挿入することが知られている。通常、各楔は、翼を上流端部の方へ軸線方向に保持するために、その上流縁部において、半径方向外側に延在し、翼根元の上流半径方向外面に対して軸線方向当接を形成する下流半径方向外面を有するスポイラーを備える。一定の力の伝達中の軸線方向への高い剪断力のため、これらに力に耐えることができるようにスポイラーを軸線方向にオーバーサイズにすることが提案されており、その結果、各スポイラーの大きな軸線方向サイズおよびファンロータの質量の増加となる。
【０００４】
軸線方向において楔のスポイラーの大型化を補償するために、対応する翼根元の上流端部をそれに応じて切り落とすことができる。しかしながら、この解決策は、この場合は、翼根元がディスクの溝の軸線方向寸法よりもより短い軸線方向寸法を有し、その早期摩耗を生じ得る溝の側壁に高い接触力を加えるので、十分ではない。
【０００５】
問題が、特にファンロータについて提起されており、このような背景において、国際公開第２００９／１４４４０１号パンフレットは、特にファン翼の損失に関して、楔のスポイラーに加わる剪断力を低減することを目的としている解決策を提示した。
【０００６】
この解決策は、激しい力の場合には翼根元の上流端部が当接している下流停止面を備えるように各楔のスポイラーを設け、この下流停止面は、ロータの回転軸に対して傾いている。
【０００７】
したがって、楔およびブレードのこの関連においては、ブレードは、従来よりも作動するように設計され、それらの応力は、低減されない。応力の流れは、楔と翼との間に分配されない。換言すれば、翼に生じる流れまたは応力の分布に関して、国際公開第２００９／１４４４０１号パンフレットの解決策は、応力流れが翼を通り、次いで楔を通過する直列取付けとなり、その結果、翼に高い応力が生じる。
【０００８】
加えて、米国特許出願公開第２０１１／００７６１４８号明細書は、ターボ機械の翼において、ある特定の方法で、特に根元とブレードとの間に半径方向に位置している翼間内側プラットフォームを適合させることを提案している。しかしながら、これは、制限し得る形状応力を正確に課す。
【先行技術文献】
【特許文献】
【０００９】
【特許文献１】国際公開第２００９／１４４４０１号
【特許文献２】米国特許出願公開第２０１１／００７６１４８号明細書
【発明の概要】
【発明が解決しようとする課題】
【００１０】
これらの選択肢によらないで、本発明の目的は、特に、軸線方向スパン長を増加する翼根元に上流および／または下流突出部を使って前述の欠点に対する簡単で効果的かつ経済的な解決策を提供することである。
【課題を解決するための手段】
【００１１】
これは、より正確には、各翼が上流側および下流側を提供し、翼の伸びの半径方向に、
上流側に沿って前縁および下流側に沿って後縁を有するブレードと、
ターボ機械のディスクの溝に係合されるべき根元であって、ブレードよりもさらに内方に半径方向に位置しており、前記半径方向の伸び方向に対して横方向に上流端部および下流端部を有し、（翼に属するかまたは属しない）翼間内側プラットフォームが、ターボ機械において循環されるべきガスの流れのために保有されるダクトの半径方向内側限界を画定するように、根元とブレードとの間に半径方向に同様に延在している、根元と
を有する、ターボ機械の翼、または翼／プラットフォームアセンブリであって、
ブレードの前縁のまたは後縁の前記半径方向内側端部が、根元の上流、または下流端部よりもさらに下流に、または上流に位置するように、各翼において、根元の上流端部および下流端部のうちの少なくとも１つが、根元と翼間内側プラットフォームとの間に半径方向に中間の、かつ下流、または上流不連続性を有する結合ゾーン（またはブレードシャンク）の上流縁部または下流縁部によってブレードの前縁の、または後縁の半径方向内側端部に結合されていることを特徴とする、ターボ機械の翼、または翼／プラットフォームアセンブリを提案する。
【００１２】
このまたはこれらの不連続性を通して、この種の回転アセンブリの臨界点である、ブレードの質量の制限が目的とされる。
【００１３】
そのうえ、この種の上流および／または下流スパンの増加を通して、その目的は、翼根元の前部（上流）および／または後部を作用させること、およびしたがってより大きなゾーンにわたって応力流れを分配し、相応じて平均的な局所応力を低減することである。
【００１４】
このように根元のスパンの長さを軸線方向に増加することによって、応力流れは、下流端部の方に向かって、このスポイラーにおよびスパンの残りに分配されることになる。
【００１５】
これは、もはや国際公開第２００９／１４４４０１号パンフレットの場合のように直列取付けではなく、並列取付けであり、したがって、局所応力が低減される。
【００１６】
参考までに、ファン翼に関して、スパンは、これを受け入れるディスクの歯と接触している翼根元のゾーンにあるが、根元は、このディスクの溝に係合されることが凝視される。翼ロータのスパンの軸線方向長さは、その結果として、ロータの回転軸に平行な、または翼の延長部分の半径方向に垂直な、根元がディスクの歯と横向きに接触している長さである。翼のブレードシャンクゾーンは、従来、−内側プラットフォームが配置される−翼の半径方向内側端部と根元との間に半径方向に、およびしたがってターボ機械において循環されるべきガスの流れのためのこれらの内側プラットフォームによって画定される半径方向内側限界に対して内部に位置しているゾーンであり、これは、上流側で、ブレードシャンクの応力の低減に関与することになる。
【００１７】
このブレードシャンクゾーンを、上流または下流縁部が、凹状でありかつ／または下流に向かって突出する、または根元からブレードの方へ下流に向かって凹部に配置される形状を備えることにより適合させることによって、
応力流れがブレードシャンクの局所応力を低減するために大きな横断面を通過させられるばかりでなく、応力流れは上流接触ゾーンによってできる限り拡散もされることになる。
【００１８】
内側プラットフォームと根元との間に、ブレードシャンクゾーンの上流縁部、または下流縁部に沿って結合部の凹形状に（半径を持つ）放射状形状を与えると、その丸みを帯びた形状を通して、応力流れの前述の拡散がさらに促進されることになる。
【００１９】
上流または下流側に向かって伸びる根元の軸線方向スパンは、外側に向かって半径方向に、第１の凹状である形状を越えて、ブレードの前縁、または下流縁部が、翼の伸びの半径方向に平行なかつ根元の上流端部を通過する直線に対して、上流方向に突出し、またはこの直線の下流方向に凹部に配置される凹形状を有する場合は、さらにより有用となることに留意されたい。
【００２０】
提案されるように、前記凸状ブレード形状が、後縁においてよりも前縁においてより膨らんでいる（下記ではＬ４＞Ｌ５）場合、（少なくともその主要部分において）翼の重心は、原則として後縁に対してよりも前縁に接近していることになる。細長い根元の軸線方向スパンは、翼の安定性に関与することになり、その重量が静止中には上流端部の方へ、ファンが回転する場合はむしろ後部（下流）の方へ傾くことを自然に防止することになる。
【００２１】
そのうえ、求められる機械的効果と翼の重量の両方を最適化するために、翼は、
翼の伸びの前記半径方向に、自由（半径方向内側）端に向かってラッパ状に広がるスパンを有し、
この方向に、スパンの起点と自由端との間の距離（Ｒ）を備え、
伸びの前記半径方向に垂直な、根元の上流端部と、ブレードの前縁の前記半径方向内側端部もしくはブレードと根元との間の結合ゾーンの前記不連続性の下流端部のどちらかとの間の距離（Ｌ）を備え、
Ｌが、２Ｒよりも小さいかまたはこれに等しい
ことをむしろ選ぶことができるであろう。
【００２２】
依然として上流側において、凹形状によってその半径方向内側端部において結合されるべきブレードの前縁を提供することに関しては、これにより、根元の上流の過度に著しい前進を防止し、または一定の空力的側面を促進さえすることができる。
【００２３】
これを受け入れるディスクの溝の軸線に平行な軸線方向端縁を内側に向かって半径方向に有する１つの（または各）翼の根元を、および
上流側において、根元の前記軸線方向端縁が延在する軸線に垂直な上流面を画定するように根元の上流端部を
さらに提供することによって、
この根元の上流端部に面する、強い軸線方向当接が確保されることになる。
【００２４】
翼の質量の制限をさらに大きく促進するために、根元の上流、または下流端部が、前記半径方向に対して横方向に、全長にわたって、前記結合ゾーンの前記上流、または下流縁部よりもさらに上流に、または下流に位置しているように、根元の上流、または下流端部が、下流、または上流端部の方への前記不連続性によって、根元と翼間内側プラットフォームとの間の前記結合ゾーンの半径方向内側部分の上流、または下流縁部に、半径方向外方に結合されることがまた提案される。
【００２５】
必要ならば、本発明は、添付の図面を参照して非限定的な実施例として与えられる次の説明を読むことによってさらによりよく理解されるであろうし、本発明の他の詳細、特徴、および利点がさらにより明らかになるであろう。
【図面の簡単な説明】
【００２６】
【図１】従来技術によるターボ機械のファンモータの（側面から見られる翼は別として）軸線方向断面の部分概略図である。
【図２】本発明によるターボ機械のファンロータの翼の部分概略側面図である。
【図３】図２の一部について拡大した概略図である。
【図４】本発明による翼の代替案の部分概略側面図である。
【図５】図４のものとそれぞれ同様な翼を備えるファンロータの（側面から見られる翼は別として）軸線方向断面の部分概略図である。
【図６】図３の線ＶＩ−ＶＩに沿った部分断面図である。
【図７】１種類の翼および１つの可能なアセンブリを概略的に示す図である。
【図８】１種類の翼および１つの可能なアセンブリを概略的に示す図である。
【発明を実施するための形態】
【００２７】
図１に関して、翼１２は、その１つのみが示されているが、従来技術の解決策に対応する。したがって、図２、図３の翼１２’は、各翼１２の代わりに用いられることもでき、提示されているロータの他の部品は、本発明を実施するために再利用されることもできる。
【００２８】
ファンロータ１００において、翼１２は、ディスク１４によって担持され、翼間プラットフォーム１６は、これらの翼の間に挿入される。ディスク１４は、ターボ機械の、図示されていない、シャフトの上流端部で固定される。
【００２９】
この場合は、翼間プラットフォーム１６は、それらがターボ機械において循環されるべきガス流（ダクト２１）のために半径方向内側および円周方向限界を一緒に画定するように、隣接する翼の内側プラットフォームと端と端を繋いで（軸線Ａの周りに）円周方向に配置されることになるが、それらを担持する翼（ブレード、ブレードシャンク、および根元）の残りとそれぞれ単一体になっている。しかしながら、これは、１２ａにおけるものなどの、各側面のすぐ近くまで側方に延在する、取り付けられた（一体化していない）プラットフォームの場合であることもできる。
【００３０】
各ファン翼１２は、根元１８にその半径方向内部端部において結合されるブレード１３を備え、この根元１８は、半径方向にこの翼をディスクに保持することができるディスク１４と相補的な形状を持つ実質的に軸線方向の溝２０に係合される。
【００３１】
表現：
半径方向および軸線方向は、それぞれ、翼の延長部分の方向１０を、および根元１８が（ロータの回転軸Ａに対して平行に）係合される溝２０の向きを指し、根元は、溝２０の軸線に平行に係合されるべき内側軸線方向端縁１９（または半径方向内側自由端）を（内側に向かって半径方向に）有することが特定され、
内側のおよび外部の（それぞれＥＸＴおよびＩＮＴ、図１、図２を参照されたい）は、翼の延長部分の方向１０に沿った位置を指し、根元１８は内側に向かい、ブレード１３は外側に向かい、
上流のおよび下流の（それぞれＡＭおよびＡＶ、図１から図３を参照されたい）は、軸線方向Ａに沿った位置を指す。
【００３２】
したがって、ロータにおいて、根元１８は、軸線方向に係合され、ディスクの外側周縁において溝、または小孔に半径方向に保持され、これらの溝は、ディスクの歯と交互に配置される。
【００３３】
楔２２は、翼を溝に半径方向に固定するために各翼の根元１８とディスクの対応する溝２０の底部との間に挿入される。各楔２２は、半径方向外側に延在するスポイラー２４をその上流端部で担持する細長い棒によって形成される。
【００３４】
スポイラー２４は、図１に示される取付け位置において、翼をディスク１４の上流方向に軸線方向に保持するために、翼根元１８の上流端部の半径方向外面２６に対して軸線方向に当接する。
【００３５】
管状プレート２８が、ディスク１４の上流端部に同軸に固定され、このプレート２８の外側周縁は、楔２２のスポイラーの上流に延在する。プレート２８は、ドグ歯２９、３１によってディスク１４に保持され、加えて、プレート２８は、ディスク１４の上流環状フランジ３２とディスク１４のおよび翼１２の上流に配置されるキャップ３６の内側環状フランジ３４との間に挿入される環状フランジ３０をその内側周縁に備える。フランジ３０、３２、３４は、フランジを一緒に固締するためにねじ３７などの通路のための軸線方向オリフィスを備える。その半径方向内側端部に向かって、根元１８の半径方向外面２６は、面取りされ、したがって、特にファン翼１２のうちの１つの損失または破壊の場合は、楔のスポイラー２４の実質的に平行な斜面４１に当接するように設計される斜めの上流端面３９を備える。
【００３６】
面３９は、ファンの軸線Ａに対して傾いて延在するが、したがって、根元１８の上流半径方向外面２６をその半径方向内側軸線方向縁部１９に結合する。
【００３７】
これは適切であることができ、この実施形態は、特に翼の損失または破壊に関して解決策を提供する。しかしながら、本発明は、まず第１に、これらの応力流れが軸線１０に沿って全体にわたっており、翼からディスクに向かって方向付けられる場合に、通常運転時のおよびしたがって翼の損失のない応力流れの処理を考慮に入れることを目的としている。目的は、特にブレードと根元との間の結合ゾーンにおいてそれらを低減することである。
【００３８】
ブレードの前縁４３１’、または４３１”の前記半径方向内側端部が根元の上流端部（４５０’、４５０”）よりもさらに下流に位置しているように、根元１８’、または１８”の上流端部４５０’、または４５０”が下流４９’、４９”に向かって不連続性を有する結合ゾーンの上流縁部によってブレード１３’、または１３”の前縁の半径方向内側端部４３０’、または４３０”に結合される翼１２’、または１２”を、図２から図４の解決策が本発明に従って提案するのは、特にこの目的ためである。
【００３９】
したがって、図５の場合のように、翼が、ディスク５６の溝５８に係合される場合、特に通常運転時のロータに対して、スポイラーまたは突出部を形成するスパンの余剰長さＬは、応力の分配のために軸線方向に（軸線Ａに平行に）利用できる。
【００４０】
提案の説明のために、Ｌ２は、図３から図５において、翼のスパン長、すなわち伸び方向１０に垂直に、かつ軸線Ａに平行に問題の翼根元の上流端部と下流端部（それぞれ図４の４５０”と４５１”）との間に延在する長さを標示し、この根元は、この長さ全体にわたってかついったん取り付けられると、翼１２’について図５に示されるようにディスク５６の溝５８の内側に含まれる。
【００４１】
この後、図２、図３の解決策が参照されるが、また、図４の解決策も関連する。プライム（’）をダブルプライム（”）で置き変えれば十分である。正確には、軸線Ａに沿って、スポイラーの上流端部４５０’は、側方内側プラットフォーム１６’の上流端部１６０’よりもさらに上流に位置しており、この上流端部１６０’は、これがプラットフォーム１６’の場合は、ブレードの基部と上流で結合される点におけるブレードシャンクゾーン４７’のそれに対応する。
【００４２】
この上流位置は、ロータの回転軸Ａに沿って、または、前の通り翼１２’の根元１８’が（内側に向かって半径方向に）有し、関連のあるディスクの軸線方向溝に係合されることになる直線状軸線端縁１９’に平行に評価されることが理解されよう。
【００４３】
上流の上にあるものに提供されたものは、スパン長Ｌ２をさらに延長するために、同じように下流に、あるいは上流および下流にあることもできる。
【００４４】
したがって、下流について、根元の下流端部４５１’、４５１”は、根元と、上流不連続性４９０’、４９０”を有する（翼と単一体であろうとなかろうと）翼間内側プラットフォーム１６’、１６”との間の半径方向中間の結合ゾーン（またはブレードシャンク；４７２、４７”）の下流縁部によってブレードの後縁４５７’、４５７”の半径方向内側端部に結合され得るようになっており、したがって、ブレードの前記後縁（図２において４３２’）の前記半径方向内側端部は、根元の下流端部（図２において４５１’）よりもさらに上流に位置している。
【００４５】
このように、応力流れを大きな横断面を通過させることによって、ブレードシャンクの局所応力が、その結果低減されることになる。
【００４６】
このことについては、スパンの端部（上流；ＡＭ）に前述の力の拡散を容易にするために、図２および図３は、不連続性４９’または４９”に与えられる凹形状によって、その上流端部において根元に結合されるべき、内側プラットフォーム１６’と根元１８’との間に半径方向に（およびしたがって、いったん翼１２’が取り付けられるとこれらのプラットフォームによって画定される空気ダクトに対して内部に）位置しているブレードシャンクゾーン４７’を提供する利点を示している。
【００４７】
この種の凹形状が放射状である（半径によって画定される）ことを実現すると、コーナーを回避することによって、力の拡散をさらにもっと容易にすることになる。
【００４８】
良好な軸線方向当接を得るために、最も遠い上流端部において、根元は軸線方向端縁１９’が延在する軸線に垂直に方向付けられる上流端面４５０’を有することが推奨される。
【００４９】
そのうえ、翼のバランスを助けるために、上流および下流で、それぞれ前縁においておよび後縁においてブレードの最も膨らんだゾーン（それぞれ、４５３’、４５３”および４５９’、４５９”；図２、図４）は、根元の前記それぞれ上流端部および下流端部のそれぞれ上流および下流、すなわち図４において軸線方向距離Ｌ４およびＬ５に位置していることが推奨される。
【００５０】
アセンブリのバランスを得るために、Ｌ４＞Ｌ５が推奨される。
【００５１】
そして、翼の質量をさらに制限するために、根元の下流端部４５１’、４５１”は、下流端部に向かって不連続性４９０’、４９０”によってブレードシャンクゾーン４７’、４７”の半径方向内側部の下流縁部４９１’、４９１”に、半径方向外側様式で有利に結合されることになる。
【００５２】
したがって、翼の前記半径方向１０に横方向に、この場合に軸線Ａに沿って、根元の下流端部４５１’、４５１”は、この下流端部が結合される前記下流縁部４９１’、４９１”よりもさらに下流に位置していることになる。
【００５３】
もう一度、翼の全体のバランス、および１６’、１６”などの内側プラットフォームによって空気流れの効率のよい案内を得るために、これらのプラットフォームの各々の下流端部１６１’、１６１”は、軸線Ａに沿って、およびしたがって関連のある翼の伸びの前記半径方向１０に横方向に、根元の前記下流端部よりもさらに下流に位置していることが提案されるほどである（距離Ｌ３を参照されたい、図５）。
【００５４】
図７は、翼１２’のプラットフォーム１６’の配置を示しており、その根元１８’は、軸線Ａの周りに、ディスク５６’の円周方向溝５８”に保持される。各プラットフォーム１６’は、ブレードと単一体になって、問題の軸線１０に横方向に、ブレードの周りを軸線方向および円周方向に本質的に延在する。半径５９は、ブレード１３’と関係しているプラットフォーム１６’との間で、凹状のプロファイルを持つ外部の漸進的な移行面を有する結合部を画定する。したがって取り付けられると、プラットフォームは、それらの円周方向端面１６０’を通して２つ１組になって互いに対して当接する。
【００５５】
図４においては、翼は、単一体の内側プラットフォームがない。各内側プラットフォーム（そのうちの１つ１６”は、透明画によって示されている）が、取り付けられ、２つの円周方向の連続するブレードの間に側方に配置され、ダクト２１が内部にさらに限定されるようにディスクに固定される。
【００５６】
したがって、このバージョンにおいては、翼において、ブレードシャンク４７”とブレードとの間に直接結合が半径方向にある。
【００５７】
図８においては、プラットフォームが取り付けられ、概略的に示されるその１つ１６’は、一対の翼１２”の間に円周方向に延在し、そのうちの１つのみが示されており、その根元１８”は、軸線Ａの周りに２つの円周方向に連続するリブ１４０の間に形成されるディスク５６の溝５８のうちの１つに保持されるということがよりよく理解できる。
【００５８】
これは、ブレードの前縁４３１”がその半径方向内側端部４３０”において凹形状４３３”によって結合されることを妨げない。
【００５９】
図３において、これはさらにより明らかになり、対応する凹形状４３３’は、ブレードと根元との間の結合ゾーン（軸線方向距離Ｌ１）の上流縁部が有する凹形状４９’の軸線方向位置に対して下流端部に向かって凹所に置かれさえする。
【００６０】
このことについては、一体型内側プラットフォームを持つ翼の場合であろうとなかろうと、これは、前記半径方向１０に横方向に、根元の上流または下流端部は、前記結合ゾーンの上流または下流縁部よりもさらに上流にまたはさらに下流に位置するように、
かつ（半径方向に）このゾーンのその全長にわたって（およびしたがって、内部プラットフォームと同じ高さまで結合部から根元の方に）位置するように、根元の上流または下流端部が、上流端部および／または下流端部において、前記下流または上流不連続性によって根元と翼間内側プラットフォーム（１６’または１６”）との間の前記結合ゾーン４７’、４７”の半径方向内側部の上流または下流縁部に、半径方向外部に結合されることは（特に質量にとって、なおまた作り出される形状が上流および下流で異なる場合はバランスにとって）有利であることになる。
【００６１】
バーションの間のもう１つの共通点が示されており、外側（軸線１０）に向かって半径方向に、および凹形状４３３’、４３３”を越えて、ブレードの前縁４３１’、４３１”は、凸形状４３５’、４３５”を有する。
【００６２】
これは、図２においてより明らかに見られる。
【００６３】
他方では、統合プラットフォームのない翼の図４のバージョンについては、好ましくは、統合プラットフォームのバージョン（図２）においては、プラットフォームを持つブレードの後縁の半径方向内側端部への結合部が有する凹形状４６１’は、４６１”においては見出されない。半径方向に、プラットフォーム１６”と、後縁におけるブレードの（下流端部に向かって）最も膨らんだゾーン４５９”との間で、この後縁の形状は、何はともあれ凹状のままである。
【００６４】
これらの連続的に凹状のおよび次いでブレードの前縁に沿って凸形状を、凹形状（４３３’、４３３”）の下流不連続性（４９’，４９”）への結合部と組み合わせることにより、（軸線Ａに平行な）軸線方向スパンの余剰長さＬと、（回転時のロータについて、その静的および動的バランスにとって特に重要な）翼の重心の軸線方向位置と、空力性能に関する必要条件との間に見出されるべきバランスに細かく対処することができるであろう。
【００６５】
特に図３および図６においては、
関係している翼の伸びの前記半径方向１０に、そのスパンゾーンが、（図３における１９’などの）自由端に向かってラッパ状に広がり、
この方向に、スパン（図３、図４における１８０’、１８０”）の起点と自由端（１９’または１９”）との間の距離Ｒを備え、
かつ、前記半径方向の伸び方向１０に垂直な、根元の上流端部と、ブレードの前縁の前記半径方向内側端部（図２、図４における４５５’、４５５”）もしくはブレードと根元との間の前記結合ゾーンの不連続性（４９’、４９”）の下流端部のどちらかとの間の距離Ｌを備え（図３を参照されたい）、
その場合、Ｌは、２Ｒよりも小さいかまたはこれに等しい
ことがこの点に関して提案されることが、再び留意されるであろう。
【００６６】
同様の考慮、およびしたがって上記の比の遵守が、この場合２Ｒ’よりも小さいかまたはこれに等しいＬによって下流に有用に行われ得る。寸法Ｒ’（軸線１０に沿った下流の根元の高さ）は、Ｒに等しい（図３）かまたは等しくない（図２を参照されたい）であろう。高さＲ’＞Ｒは、（図５に概略的に示されるように）根元の有利な後部当接を助けるであろう。
【００６７】
翼１２’、１２”のどちらかは、図５に示されるロータ１００’に取り付けられることもできる。
【００６８】
ディスク５６は、ターボ機械の軸線Ａの周りにその中に配置され、下流駆動シャフト（図示せず）によって回転される。
【００６９】
翼間プラットフォーム１６が挿入される、既に提示された翼１２’を含めた翼は、ディスク５６によって担持される。
【００７０】
各翼の根元１８’は、ディスク上の２つの歯またはリブ１４０の間に形成される、ディスク５６の実質的に軸線方向の溝５８に係合され、この翼をディスク５６に半径方向に保持することができる。
【００７１】
また、ロータ１００’は、上流端部に向かってディスクに翼を軸線方向保持するための手段が装備される。これらは、ディスク５６の環状溝に取り付けられるプレート７４を備え、翼の根元の軸線方向当接を形成する。プレート７４は、内側および外部のシリンダ面によって画定されるシリンダ部を備える環８６の手段によって回転固定される。環のシリンダ部は、ディスクのフランジ６６に対して外側を通して軸線方向に当接する。フランジ６６は、その全周囲にわたって均等に分配される、ねじ７０の通路のための軸線方向穴を備える。フランジ７４は、環の突出部分に対してその固体部の当接によって回転固定される。たとえばアルミニウムから作られ、形状が円錐形のキャップ９６が、ディスクに固定される。
【００７２】
ファン翼１２’は、前述の手段７０、７４、８６、９６によってディスク５６の溝５８に軸線方向に保持され、したがって翼の上流に配置される。
【００７３】
楔１４２は、翼をディスク５６に半径方向に固定するために各翼の根元１８’とディスク５６の対応する溝５８の底部との間に挿入される。
【００７４】
翼間プラットフォーム１６’は、ターボ機械に入る空気流れのダクト１４４を内部に画定する壁を依然として形成し、プラットフォームをディスクに固定するように、溝５８の間に、ディスク５６に設けられる対応する手段と協働する手段を備える。
【００７５】
ここに、低圧圧縮機、ＬＰ、１５０が、ファンディスク５６の下流に配置され、翼根元１８’の下流端部およびディスクのリブ１４０に対して直接当接し、したがって、下流フックの係合と関係があるリブのいかなる半径方向深さ応力も存在しない。ここに、ＬＰ圧縮機１５０の軸線方向当接は、下流のラビリンス環の上流環状アーム１５３の上流端部で半径方向ラグ１５１によって実現される。通常ボルト締めされる、軸線方向器具１５５が、半径方向ラグ１５１とブレードシャンクゾーン、ここに４７’との間で半径方向すぐ外側で、上記当接を補うことができる（図５を参照されたい）。
【００７６】
ディスク５６の内壁１５２の輪郭は、下流端部に向かってラッパ状に広がる円錐台形であってもよい。
【図１】
2017532484.tif 000003
【図２】
2017532484.tif 000004
【図３】
2017532484.tif 000005
【図４】
2017532484.tif 000006
【図５】
2017532484.tif 000007
【図６】
2017532484.tif 000008
【図７】
2017532484.tif 000009
【図８】
2017532484.tif 000010
【国際調査報告】
2017532484.tif 000011
2017532484.tif 000012
2017532484.tif 000013
2017532484.tif 000014